(57)【要約】【課題】  足、自転車用靴の何れに対しても、確実に位置ずれを抑制し得るくつ下の提供。【解決手段】  レッグ部４において、着用者のアキレス腱ｆ３を覆う部分に、踵部５に対して履口部９側に隣接してアキレス腱部６を設け、アキレス腱部６を鹿子編みとしているから、自転車Ｂへの搭乗者がペダルＰを踏み込んだ後、脚を引き上げる際に、踵ｆ２が上がることによる自転車用靴の履口に対するくつ下１の位置ずれは、鹿子編みにおける表面側の凹凸面の摩擦により抑制され、アキレス腱ｆ３に対する位置ずれは、鹿子編みにおける裏面側の凹凸面の摩擦により抑制されて、くつ下１は、足Ｆ１および自転車用靴の何れに対しても、位置ずれが抑制される。【選択図】  図３
2017197870.tif 000002
【特許請求の範囲】
【請求項１】
足を覆うフット部と足首を覆うレッグ部とを一体的に備えたくつ下であって、
前記レッグ部はアキレス腱を覆うアキレス腱部を備え、
該アキレス腱部は、自転車用靴の履口に対向する部分を、鹿子編みもしくは横方向のリブ編みとして構成されたことを特徴とするくつ下。
【請求項２】
前記フット部は、踵を覆う踵部に対しつま先側に隣接して、鹿子編みもしくは横方向のリブ編みからなる隣接部を備えた請求項１記載のくつ下。
【請求項３】
足および外踝の左右方向外側に対応する領域であって、前記フット部およびレッグ部の一部領域どうしに亘る、帯状の足首支持部を備えた請求項１または請求項２に記載のくつ下。
【発明の詳細な説明】
【技術分野】
【０００１】
本発明は、くつ下に関し、特にロードレーサに好適に用いられるくつ下に関する。
【背景技術】
【０００２】
従来から、自転車のペダルを踏み込む際のロードレーサの脚力を、効率よくペダルに伝達させるようにした自転車用靴が提案されている。一例として、自転車用靴とペダルとを結合するための固定具（クリート）を靴裏に取付けた自転車用靴が提案されている。
【０００３】
下記特許文献１に、ロードレーサに適したくつ下が提案されている。特許文献１に記載されたくつ下は、難伸部と称する部分を備えている。難伸部は、ロードレーサの足の表面に対して位置ずれしないよう足の動きに追従させ、しかもロードレーサのアキレス腱の動きを阻害させないようにするために、アキレス腱を避けた部分に、伸びにくい生地として設けられている。
【０００４】
ところで、ロードレーサの脚は、ペダルを踏み込んだ後は後方から引き上げられ、続いて再びペダルを踏み込むといった動作を繰り返す。脚が後方から引き上げられる際には、つま先に対して踵が上がり気味になる。
【０００５】
足裏を靴底に密着させてペダルを踏み込むと、脚力が効率よくペダルに伝達されることが知られている。しかしながら、自転車用靴はペダルに固定された状態にある。このため、踵が上がると、踵と靴底との間の隙間が広がってしまい、この隙間は、ロードレーサが足裏を靴底に密着させて再びペダルを踏み込む際には、脚力のロスとして現れる。
【０００６】
つまり、ロードレーサの脚力を効率よくペダルに伝達させるためには、常にロードレーサの足、くつ下、自転車用靴が相対的にずれないようにすることが必要である。
【先行技術文献】
【特許文献】
【０００７】
【特許文献１】特開２０１１−１４９１３３号公報
【発明の概要】
【発明が解決しようとする課題】
【０００８】
しかしながら、特許文献１に提案されたくつ下は、足の動きに追従するよう構成されているものの、自転車用靴に対する位置ずれを抑制する構成は備えていない。
【０００９】
そこで本発明は、足、自転車用靴の何れに対しても、確実に位置ずれを抑制し得るくつ下の提供を課題とする。
【課題を解決するための手段】
【００１０】
本発明は、足を覆うフット部と足首を覆うレッグ部とを一体的に備えたくつ下であって、前記レッグ部はアキレス腱を覆うアキレス腱部を備え、該アキレス腱部は、自転車用靴の履口に対向する部分を、鹿子編みもしくは横方向のリブ編みとして構成されたことを特徴としている。
【００１１】
一般に、くつ下において、アキレス腱に相当するアキレス腱部では、自転車用靴の履口に対する位置ずれ、およびアキレス腱に対する位置ずれが発生し易い。しかしながら、上記構成を備えた本発明のくつ下によれば、自転車への搭乗者が脚でペダルを踏み込んだ後に引き上げる際に、踵が上がることによる履口に対する位置ずれは、鹿子編みもしくは横方向のリブ編みにおける表面側の凹凸面の摩擦により抑制され、アキレス腱に対する位置ずれは鹿子編みもしくは横方向のリブ編みにおける裏面側の凹凸面の摩擦により抑制されて、足、および自転車用靴の何れに対しても、位置ずれが抑制される。
【００１２】
本発明のくつ下では、前記フット部は、踵を覆う踵部に対しつま先側に隣接して、鹿子編みもしくは横方向のリブ編みからなる隣接部を備えた構成を採用できる。
【００１３】
上記構成によれば、レッグ部では踵部の上側にあってアキレス腱を覆うアキレス腱部を備え、フット部では踵部のつま先側に隣接部を備え、アキレス腱部および隣接部はともに鹿子編みもしくは横方向のリブ編みであるから、踵部の上側と踵部のつま先側が、自転車用靴、および足に対して位置ずれしにくく、しかもアキレス腱部および隣接部は、ともに鹿子編みもしくは横方向のリブ編みであって伸びにくいから、足と踵部とのずれを抑制できる。
【００１４】
本発明のくつ下では、足および外踝の左右方向外側に対応する領域であって、前記フット部およびレッグ部の一部領域どうしに亘る、帯状の足首支持部を備えた構成を採用できる。
【００１５】
上記構成によれば、フット部およびレッグ部に亘る足首支持部によって、足が内側になるような足首の捩れが抑制される。
【発明の効果】
【００１６】
本発明のくつ下によれば、足、自転車用靴の何れに対しても、確実に位置ずれを抑制し得る。
【図面の簡単な説明】
【００１７】
【図１】本発明の一実施形態を表すくつ下の表側面を、外側と内側とで対比させて表した側面図である。
【図２】同くつ下の裏側面を、外側と内側とで対比させて表した側面図である。
【図３】同くつ下に覆われた足および脛を仮想線で表した着用状態における、外側からの側面図である。
【図４】同くつ下に覆われた足および脛を仮想線で表した着用状態における、内側からの側面図である。
【図５】同くつ下を着用して着用者が自転車に搭乗している状態の側面図である。
【発明を実施するための形態】
【００１８】
以下、本発明の一実施形態に係るくつ下を、図１ないし図５を参照しつつ説明する。図５に示すように、本実施形態に係るくつ下１は、自転車用靴２を履くロードレーサに好適に用いられる。くつ下１は左右一対で一組とされている。左右のくつ下は左右対称構造であるから、ここでは片側である左側のくつ下１の構成の説明をもって、右側のくつ下の説明を兼用する。
【００１９】
図３および図４に示すように、くつ下１は、着用者（ロードレーサ）の足Ｆ１を覆うフット部３と、足首ｆ１を含む脛Ｆ２の一部を覆うレッグ部４と、踵ｆ２を覆う踵部５を一体的に備えている。本実施形態の説明の便宜上、踵部５はフット部３、レッグ部４とは別部位として説明する。
【００２０】
本実施形態に係るくつ下１は、鹿子編みにより構成される部分を、複数箇所に備える。鹿子編みにより構成される部分は、アキレス腱部６、隣接部７、足首支持部８であり、以下に各部について説明する。
【００２１】
アキレス腱部６は、レッグ部４にあって、着用者のアキレス腱ｆ３を覆う部分である。アキレス腱部６は、踵部５に対して履口部９側に隣接して配置されている。アキレス腱部６は、レッグ部４の周方向長さの半分程度に亘る帯状に形成されている。隣接部７は、フット部３にあって、踵部５に対し、つま先ｆ４を覆うつま先部１０側に隣接して配置されている。隣接部７は、フット部３の周方向長さの半分程度に亘る帯状に形成されている。踵部５は、アキレス腱部６および隣接部７によって囲繞されている。
【００２２】
足首支持部８は、着用者の足Ｆ１の甲ｆ５、および外踝ｆ６の左右方向外側に対応する領域であって、フット部３およびレッグ部４の一部領域に亘る。具体的に、足首支持部８は、フット部３およびレッグ部４の長手方向に沿うよう配置され、帯状に形成されている。このような足首支持部８は、くつ下１の左右方向外側にのみ配置され、左右方向内側には設けられていない。足首支持部８は、レッグ部４側に設けられたレッグ部側支持部８Ａと、フット部３側に設けられたフット部側支持部８Ｂとを連続した形態で備える。
【００２３】
レッグ部側支持部８Ａは、レッグ部４においては外踝ｆ６に対応する部分から、レッグ部４の丈の略半分程度の高さ位置まで延設されている。フット部側支持部８Ｂは、フット部３においては、外踝ｆ６に対応する部分から、つま先ｆ４に至らない位置まで延長されている。この足首支持部８では、レッグ部側支持部８Ａがアキレス腱部６と連続した鹿子編みとされ、フット部側支持部８Ｂが隣接部７と連続した鹿子編みとされている。
【００２４】
フット部３において、足Ｆ１の甲ｆ５を覆う甲部１１に緩衝部１２が設けられている。緩衝部１２は、クッション性生地から構成されている。図１および図２に示すように、緩衝部１２は甲部１１において、レッグ部４寄りに配置され、平面視して、甲部１１において左右前後に広がる矩形状に形成されている。なお、緩衝部１２において、その左右方向外側縁１２ａは、足首支持部８に隣接している。
【００２５】
踵部５およびつま先部１０は、伸縮性に富む生地により構成され、踵部５、つま先部１０、アキレス腱部６、隣接部７、足首支持部８以外はメッシュ生地により構成される。
【００２６】
本実施形態において、鹿子編みは、図１ないし図４に示すように、表側面（自転車用靴２側）を鹿子状の凹凸面とされ、裏側面（装着者の足Ｆ１側、脛Ｆ２側）を横筋目状の凹凸面とされている。この場合、横筋目状とは、左右幅方向に向かう筋目である。
【００２７】
自転車Ｂへの搭乗者（ロードレーサでありくつ下１の着用者）は、くつ下１を履き、自転車用靴２を履き、ペダルＰに備え付けられている固定ベルトを用いて、ペダルＰに足Ｆ１、自転車用靴２を固定する。くつ下１には、フット部３において、足Ｆ１の甲ｆ５を覆う甲部１１のペダルＰに対応する位置に、緩衝部１２が設けられている。この緩衝部１２は、クッション性生地から構成されている。このため本実施形態のくつ下１によれば、固定ベルトを用いて、ペダルＰに足Ｆ１、自転車用靴２を締付けても締付感が緩和されるとともに、うっ血が抑制される。
【００２８】
ところで、一般に、くつ下１において、アキレス腱ｆ３に相当するアキレス腱部６では、自転車用靴２の履口に対する位置ずれ、およびアキレス腱ｆ３に対する位置ずれが発生し易い。そこで、本実施形態におけるくつ下１では、レッグ部４において、着用者のアキレス腱ｆ３を覆う部分に、踵部５に対して履口部９側に隣接してアキレス腱部６を設け、アキレス腱部６を鹿子編みとしている。
【００２９】
このため、本実施形態のくつ下１によれば、自転車Ｂへの搭乗者が、その脚でペダルＰを踏み込んだ後、脚を引き上げる際に、踵ｆ２が上がること（図５参照）による自転車用靴２の履口に対するくつ下１の位置ずれは、鹿子編みにおける表面側の凹凸面の摩擦により抑制される。また、アキレス腱ｆ３に対する位置ずれは、鹿子編みにおける裏面側の凹凸面の摩擦により抑制される。このため、くつ下１は、足Ｆ１および自転車用靴２の何れに対しても、位置ずれが抑制される。
【００３０】
本実施形態のくつ下１では、フット部３は、踵ｆ２を覆う踵部５に対しつま先ｆ４側に隣接して、鹿子編みからなる隣接部７を備えている。この構成によれば、レッグ部４では踵部５の上側にあってアキレス腱ｆ３を覆うアキレス腱部６を備え、フット部３では踵部５のつま先ｆ４側に隣接部７を備えた構成となる。そして、アキレス腱部６および隣接部７はともに鹿子編みであって、裏面側の凹凸面（図２参照）の摩擦により、踵部５の上側と踵部５のつま先ｆ４側が、自転車用靴２、および足Ｆ１に対して位置ずれしにくい。しかもアキレス腱部６および隣接部７は、ともに鹿子編みであって伸びにくいから、足Ｆ１と踵部５とのずれを抑制できる。
【００３１】
本実施形態のくつ下１では、足Ｆ１および外踝ｆ６の左右方向外側に対応する領域であって、フット部３およびレッグ部４の一部領域どうしに亘る、帯状の足首支持部８を備えている。この足首支持部８は、レッグ部４側に設けられたレッグ部側支持部８Ａと、フット部３側に設けられたフット部側支持部８Ｂとを連続するよう形成されており、足首支持部８は鹿子編みであって伸縮しにくい。この構成によれば、自転車Ｂへの搭乗者が、その脚でペダルＰを踏み込む際にも脚を引き上げる際にも、レッグ部側支持部８Ａとフット部側支持部８Ｂとが協働して、足Ｆ１が内側になるような足首ｆ１の捩れを抑制する。
【００３２】
本発明は、上記実施形態に限定されず、本発明の主旨を逸脱しない範囲で種々変形が可能である。その他、各部の具体的構成についても上記実施形態に限られるものではない。上記実施形態のくつ下１では、レッグ部４は足首ｆ１を含む脛Ｆ２の一部を覆う構成を例示した。しかしながら、レッグ部４は、アキレス腱部６を設けられるのであれば、脛Ｆ２に至らず足首ｆ１を覆うことができればよい。
【００３３】
上記実施形態では、足首支持部８は、アキレス腱部６、隣接部７と連続した鹿子編みとされた場合を例示した。しかしながら、足首支持部８は、アキレス腱部６、隣接部７とは分離して設けられてもよい。アキレス腱部６、隣接部７は、裏面側および表面側を横方向にリブが倣うリブ編みとすることもできる。
【符号の説明】
【００３４】
１…くつ下、２…自転車用靴、３…フット部、４…レッグ部、５…踵部、６…アキレス腱部、７…隣接部、８…足首支持部、８Ａ…レッグ部側支持部、８Ｂ…フット部側支持部、９…履口部、１０…つま先部、１１…甲部、１２…緩衝部、１２ａ…左右方向外側縁、Ｂ…自転車、Ｆ１…足、ｆ１…足首、Ｆ２…脛、ｆ２…踵、ｆ３…アキレス腱、ｆ４…つま先、ｆ５…甲、ｆ６…外踝、Ｐ…ペダル
【図１】
2017197870.tif 000003
【図２】
2017197870.tif 000004
【図３】
2017197870.tif 000005
【図４】
2017197870.tif 000006
【図５】
2017197870.tif 000007